(57)【要約】【課題】改竄が困難であり且つ画質が高い像を表示可能とする技術を提供する。【解決手段】本発明に係るブランク媒体は、互いに交差するＸ及びＹ方向に配列した複数の画素ＰＥを備え、複数の画素ＰＥの各々は、照明光の照射により回折光及び／又は指向性を有した散乱光を射出可能な複数の第１溝Ｇ１を各々が備え且つ複数の第１溝Ｇ１の長さ方向が互いに異なっている複数の第１サブ画素ＳＰＥ１と、照明光の照射により回折光及び／又は指向性を有した散乱光を射出可能であり且つ複数の第１溝Ｇ１と長さ方向が互いに異なった複数の第２溝Ｇ２を備え、複数の第１サブ画素ＳＰＥ１の各々と比較して面積がより大きい第２サブ画素ＳＰＥ２とを含んでいる。【選択図】図４
2011133677.tif 000002
【特許請求の範囲】
【請求項１】
互いに交差する第１及び第２方向に配列した複数の画素を備え、
前記複数の画素の各々は、
照明光の照射により回折光及び／又は指向性を有した散乱光を射出可能な複数の第１溝を各々が備え且つ前記複数の第１溝の長さ方向が互いに異なっている複数の第１サブ画素と、
照明光の照射により回折光及び／又は指向性を有した散乱光を射出可能であり且つ前記複数の第１溝と長さ方向が互いに異なった複数の第２溝を備え、前記複数の第１サブ画素の各々と比較して面積がより大きい第２サブ画素と
を含んでいるブランク媒体。
【請求項２】
前記複数の第１サブ画素は立体画像の表示に用いられ且つ前記第２サブ画素は平面画像の表示に用いられる請求項１に記載のブランク媒体。
【請求項３】
前記複数の第２溝の長さ方向は、前記複数の第１溝の長さ方向の平均と平行である請求項１又は２に記載のブランク媒体。
【請求項４】
前記複数の第２溝は曲線状である請求項１乃至３の何れか１項に記載のブランク媒体。
【請求項５】
前記複数の第２溝の空間周波数が互いに異なった複数の前記画素を含んでいる請求項１乃至４の何れか１項に記載のブランク媒体。
【請求項６】
請求項１乃至５の何れか１項に記載のブランク媒体から得られる画像表示体であって、
前記ブランク媒体が含んでいる前記第１サブ画素の一部において前記複数の第１溝が射出する回折光及び／又は散乱光の強度をゼロとするか又は低減し且つ前記第２サブ画素の全部において前記複数の第２溝が射出する回折光及び／又は散乱光の強度をゼロとするか又は低減することにより得られ、前記第１サブ画素によって第１画像を表示する第１表示領域と、
前記第１サブ画素の全部において前記複数の第１溝が射出する回折光及び／又は散乱光の強度をゼロとするか又は低減し且つ前記第２サブ画素の一部において前記複数の第２溝が射出する回折光及び／又は散乱光の強度をゼロとするか又は低減することにより得られ、前記第２サブ画素によって第２画像を表示する第２表示領域と
を含んだ画像表示体。
【請求項７】
前記回折効率及び／又は散乱効率をゼロとするか又は低減することは、前記ブランク媒体の前記複数の第１及び第２溝が設けられた位置にエネルギービームを照射することにより行われた請求項６に記載の画像表示体。
【請求項８】
前記第２画像は個人情報を含んだ画像である請求項６又は７に記載の画像表示体。
【請求項９】
請求項６乃至８の何れか１項に記載の画像表示体と、前記画像表示体を支持した基材とを具備した情報媒体。
【請求項１０】
前記画像表示体は生体情報を含んだ画像を表示している請求項９に記載の情報媒体。
【請求項１１】
前記生体情報を含んだ画像は顔画像である請求項１０に記載の情報媒体。
【発明の詳細な説明】
【技術分野】
【０００１】
本発明は、例えば個人認証に利用可能な画像表示技術に関する。
【背景技術】
【０００２】
パスポート及びＩＤ（identification）カードなどの個人認証媒体の多くは、目視による個人認証を可能とするために、顔画像を使用している。
【０００３】
例えば、パスポートでは、従来、顔画像を焼き付けた印画紙を冊子体に貼り付けていた。しかしながら、そのようなパスポートには、写真印画の貼り替えによる改竄のおそれがある。
【０００４】
このような理由で、近年では、顔画像の情報をデジタル化し、これを冊子体上に再現する傾向にある。この画像再現方法としては、例えば、転写リボンを用いた感熱転写記録法が検討されている。
【０００５】
しかしながら、昨今、昇華性染料又は着色した熱可塑性樹脂を使用する感熱転写記録方式のプリンタは広く普及している。この状況を考慮すると、パスポートから顔画像を取り除き、そこに別の顔画像を記録することは、必ずしも困難ではない。
【０００６】
特許文献１には、上述した方法で顔画像を記録し、その上に蛍光インキを用いて顔画像を記録することが記載されている。また、特許文献２には、無色又は淡色の蛍光染料と有色の顔料とを含有したインキを用いて顔画像を記録することが記載されている。更に、特許文献３には、通常の顔画像と、パール顔料を用いて形成した顔画像とを並べて配置することが記載されている。
【０００７】
これら技術をパスポートに適用すると、その改竄がより困難になる。しかしながら、蛍光材料を用いて記録した顔画像は、紫外線ランプなどの特殊な光源を使用しない限り観察することはできない。また、パール顔料を用いて形成した顔画像は、肉眼で視認することはできるものの、パール顔料は粒径が大きいため、これを用いて高精細な画像を形成することは困難である。
【０００８】
ところで、個人認証媒体に記録された顔画像が立体的な像である場合、顔画像が平面像である場合と比較して、その改竄がより困難となる。しかしながら、顔画像を立体像として表示する場合、視差を有する複数枚の２次元画像（以下、視差画像ともいう）が必要である。そして、複数枚の視差画像を用いて立体像を表示する場合、精細度及び／又は明るさの低下により、画質が悪くなることがある。
【先行技術文献】
【特許文献】
【０００９】
【特許文献１】特開２０００−１４１８６３号公報
【特許文献２】特開２００２−２２６７４０号公報
【特許文献３】特開２００３−１７０６８５号公報
【発明の概要】
【発明が解決しようとする課題】
【００１０】
本発明の目的は、改竄が困難であり且つ画質が高い像を表示可能とする技術を提供することにある。
【課題を解決するための手段】
【００１１】
本発明の第１側面は、互いに交差する第１及び第２方向に配列した複数の画素を備え、前記複数の画素の各々は、照明光の照射により回折光及び／又は指向性を有した散乱光を射出可能な複数の第１溝を各々が備え且つ前記複数の第１溝の長さ方向が互いに異なっている複数の第１サブ画素と、照明光の照射により回折光及び／又は指向性を有した散乱光を射出可能であり且つ前記複数の第１溝と長さ方向が互いに異なった複数の第２溝を備え、前記複数の第１サブ画素の各々と比較して面積がより大きい第２サブ画素とを含んでいるブランク媒体である。
【００１２】
本発明の第２側面は、前記複数の第１サブ画素は立体画像の表示に用いられ且つ前記第２サブ画素は平面画像の表示に用いられる第１側面に係るブランク媒体である。
【００１３】
本発明の第３側面は、前記複数の第２溝の長さ方向は、前記複数の第１溝の長さ方向の平均と平行である第１又は第２側面に係るブランク媒体である。
【００１４】
本発明の第４側面は、前記複数の第２溝は曲線状である第１乃至第３側面の何れか１つに係るブランク媒体である。
【００１５】
本発明の第５側面は、前記複数の第２溝の空間周波数が互いに異なった複数の前記画素を含んでいる第１乃至第４側面の何れか１つに係るブランク媒体である。
【００１６】
本発明の第６側面は、第１乃至第５側面の何れか１つに記載のブランク媒体から得られる画像表示体であって、前記ブランク媒体が含んでいる前記第１サブ画素の一部において前記複数の第１溝が射出する回折光及び／又は散乱光の強度をゼロとするか又は低減し且つ前記第２サブ画素の全部において前記複数の第２溝が射出する回折光及び／又は散乱光の強度をゼロとするか又は低減することにより得られ、前記第１サブ画素によって第１画像を表示する第１表示領域と、前記第１サブ画素の全部において前記複数の第１溝が射出する回折光及び／又は散乱光の強度をゼロとするか又は低減し且つ前記第２サブ画素の一部において前記複数の第２溝が射出する回折光及び／又は散乱光の強度をゼロとするか又は低減することにより得られ、前記第２サブ画素によって第２画像を表示する第２表示領域とを含んだ画像表示体である。
【００１７】
本発明の第７側面は、前記回折効率及び／又は散乱効率をゼロとするか又は低減することは、前記ブランク媒体の前記複数の第１及び第２溝が設けられた位置にエネルギービームを照射することにより行われた第６側面に係る画像表示体である。
【００１８】
本発明の第８側面は、前記第２画像は個人情報を含んだ画像である第６又は第７側面に係る画像表示体である。
【００１９】
本発明の第９側面は、第６乃至第８側面の何れか１つに係る画像表示体と、前記画像表示体を支持した基材とを具備した情報媒体である。
【００２０】
本発明の第１０側面は、前記画像表示体は生体情報を含んだ画像を表示している第９側面に係る情報媒体である。
【００２１】
本発明の第１１側面は、前記生体情報を含んだ画像は顔画像である第１０側面に係る情報媒体である。
【発明の効果】
【００２２】
本発明によると、改竄が困難であり且つ画質が高い像を表示することが可能となる。
【００２３】
本発明の第１側面に係るブランク媒体は、互いに交差する第１及び第２方向に配列した複数の画素を備えている。これら複数の画素の各々は、複数の第１サブ画素と、第２サブ画素とを含んでいる。
【００２４】
このブランク媒体では、複数の第１サブ画素の各々は、照明光の照射により回折光及び／又は指向性を有した散乱光を射出可能な複数の第１溝を各々が備えており、これら複数の第１溝の長さ方向は、複数の第１サブ画素間で互いに異なっている。また、このブランク媒体では、第２サブ画素は、照明光の照射により回折光及び／又は指向性を有した散乱光を射出可能な複数の第２溝を備えている。
【００２５】
このブランク媒体は、例えば、画像表示体の製造に用いる。具体的には、このブランク媒体は、例えば、以下のようにして用いる。
【００２６】
即ち、第１に、第１サブ画素の一部において複数の第１溝が射出する回折光及び／又は散乱光の強度をゼロとするか又は低減し且つ第２サブ画素の全部において複数の第２溝が射出する回折光及び／又は散乱光の強度をゼロとするか又は低減した領域を形成する。こうすると、この領域に、複数の第１サブ画素の各々に基づいた複数の像を表示させることができる。
【００２７】
第２に、第１サブ画素の全部において複数の第１溝が射出する回折光及び／又は散乱光の強度をゼロとするか又は低減し且つ第２サブ画素の一部において複数の第２溝が射出する回折光及び／又は散乱光の強度をゼロとするか又は低減した領域を形成する。こうすると、この領域に、第２サブ画素に基づいた像を表示させることができる。
【００２８】
従って、このブランク媒体には、第１サブ画素に基づいて表示される複数の像と第２サブ画素に基づいて表示される像との組み合わせによる画像を、オンデマンドで記録することができる。また、このような画像を改竄又は偽造することは、極めて困難である。
【００２９】
加えて、このブランク媒体では、第２サブ画素は、複数の第１サブ画素の各々と比較して面積がより大きい。よって、第２サブ画素に基づいて表示される像は、第１サブ画素に基づいて表示される複数の像の各々と比較してより明るい。従って、第２サブ画素に基づいて表示される像の画質は、比較的高い。それゆえ、例えば、第２サブ画素に基づいて顔画像などの主要な画像を表示させると共に、第１サブ画素に基づいて背景画像などの副次的な画像を表示させることにより、画像全体としての画質を向上させることができる。
【００３０】
本発明の第２側面に係るブランク媒体では、第１サブ画素は、立体画像の表示に用いられる。即ち、第１サブ画素に基づいて表示される複数の像は、観察者の左右の眼の各々によって視認される視差画像である。他方、このブランク媒体では、第２サブ画素は、平面画像の表示に用いられる。
【００３１】
従って、このブランク媒体から得られる画像表示体が表示する像のうち、第２サブ画素に基づいて表示される平面画像は、第１サブ画素に基づいて表示される立体画像の影響により、あたかも立体画像であるかのように知覚される。即ち、このブランク媒体を用いると、これら平面画像及び立体画像の組み合わせにより、擬似的な立体表示を行うことが可能となる。
【００３２】
また、第２サブ画素に基づいて表示される平面画像は、第１サブ画素に基づいて表示される立体画像と比較してより明るい。従って、このブランク媒体を用いると、上記の原理により、明るい立体表示を行うことができる。即ち、このブランク媒体は、画質が高い立体表示を可能とする。
【００３３】
本発明の第３側面に係るブランク媒体では、複数の第２溝の長さ方向を、複数の第１溝の長さ方向の平均と平行としている。こうすると、第１サブ画素に基づいて表示される像が視認可能となる観察条件において、第２サブ画素に基づいて表示される像の明るさを最大にすることができる。従って、こうすると、ブランク媒体から得られる画像表示体に、高品位な画像を表示させることができる。
【００３４】
本発明の第４側面に係るブランク媒体では、複数の第２溝を曲線状としている。こうすると、第２サブ画素から射出される回折光及び／又は散乱光の射出範囲が広くなる。従って、こうすると、ブランク媒体から得られる画像表示体に、より幅広い視域で観察可能な画像を記録することができる。
【００３５】
本発明の第５側面に係るブランク媒体は、複数の第２溝の空間周波数が互いに異なった複数の画素を含んでいる。こうすると、特定の照明条件において、複数の画素の各々に含まれる第２のサブ画素から射出される回折光及び／又は散乱光の波長を互いに異ならせることができる。従って、このブランク媒体には、例えば、多色画像を記録することができる。
【００３６】
本発明の第６側面に係る画像表示体は、第１乃至第５側面の何れか１つに記載のブランク媒体から得られる。この画像表示体は、第１サブ画素によって第１画像を表示する第１表示領域と、第２サブ画素によって第２画像を表示する第２表示領域とを含んでいる。即ち、この画像表示体は、これら第１及び第２画像の組み合わせに基づいた画像を表示する。
【００３７】
第１表示領域は、ブランク媒体が含んでいる第１サブ画素の一部において、複数の第１溝が射出する回折光及び／又は散乱光の強度をゼロとするか又は低減すると共に、第２サブ画素の全部において、複数の第２溝が射出する回折光及び／又は散乱光の強度をゼロとするか又は低減することにより得られる。第２表示領域は、第１サブ画素の全部において、複数の第１溝が射出する回折光及び／又は散乱光の強度をゼロとするか又は低減すると共に、第２サブ画素の一部において、複数の第２溝が射出する回折光及び／又は散乱光の強度をゼロとするか又は低減することにより得られる。従って、この画像表示体には、オンデマンドで、所望の画像を表示させることができる。
【００３８】
上述した通り、この画像表示体の製造に用いるブランク媒体では、第２サブ画素は、複数の第１サブ画素の各々と比較して面積がより大きい。よって、第２表示領域が表示する第２画像は、第１表示領域が表示する第１画像と比較してより明るい。従って、第２画像の画質は、比較的高い。それゆえ、例えば、第２画像として顔画像などの主要な画像を表示させると共に、第１画像として背景画像などの副次的な画像を表示させることにより、画像全体としての画質を向上させることができる。
【００３９】
本発明の第７側面に係る画像表示体は、ブランク媒体の複数の第１及び第２溝が設けられた位置にエネルギービームを照射することによって、これら溝が射出する回折光及び／又は散乱光の強度をゼロとするか又は低減することにより得られる。この場合、ブランク媒体への画像の記録を優れた精度で行うことが可能となる。従って、この画像表示体は、画質が特に優れている。
【００４０】
本発明の第８側面に係る画像表示体では、第２画像は、個人情報を含んだ画像である。従って、この画像表示体は、個人認証媒体の構成要素として使用することができる。また、この第２画像は、第１画像と比較してより明るい。従って、この画像表示体を用いると、個人情報を含んだ画像を高画質で表示することができる。
【００４１】
本発明の第９側面に係る情報媒体は、第６乃至第８側面の何れか１つに係る画像表示体を具備している。それゆえ、この情報媒体は、改竄が困難である。また、この情報媒体は、画質が高い画像を表示することができる。
【００４２】
本発明の第１０側面に係る情報媒体は、上記の画像表示体を含んでおり、この画像表示体は、生体情報を含んだ画像を表示している。生体情報は、個体に特有なものであるので、個人認証に有用である。従って、この情報媒体は、個人認証媒体として有用である。
【００４３】
本発明の第１１側面に係る情報媒体は、上記の画像表示体を含んでおり、この画像表示体は、顔画像を表示している。顔画像は、個体に特有であり且つ観察者による改竄の有無の判断が容易である。従って、この情報媒体は、個人認証媒体として特に有用である。
【図面の簡単な説明】
【００４４】
【図１】本発明の一態様に係る情報媒体を概略的に示す平面図。
【図２】図１に示す情報媒体の製造に使用可能なブランク媒体の一例を概略的に示す平面図。
【図３】図２に示すブランク媒体の画像記録領域の一部を拡大して示す平面図。
【図４】図３に示す画像記録領域を構成している画素を拡大して示す平面図。
【図５】図４に示す画素のＶ−Ｖ線に沿った断面図。
【図６】図２に示すブランク媒体を用いて得られる画像表示体の一例を概略的に示す平面図。
【図７】図６に示す画像表示体の第１表示領域を構成している画素の１つを拡大して示す平面図。
【図８】図６に示す画像表示体の第１表示領域を構成している画素の他の１つを拡大して示す平面図。
【図９】図６に示す画像表示体の第２表示領域を構成している画素の１つを拡大して示す平面図。
【図１０】図６に示す画像表示体の第２表示領域を構成している画素の他の１つを拡大して示す平面図。
【図１１】図４に示す画素の一変形例を示す平面図。
【図１２】図４に示す画素の他の変形例を示す平面図。
【図１３】第１及び／又は第２サブ画素に採用可能な構造の一例を示す平面図。
【図１４】第１及び／又は第２サブ画素に採用可能な構造の他の例を示す平面図。
【図１５】第１及び／又は第２サブ画素に採用可能な構造の他の例を示す平面図。
【図１６】図１５に示す構造をフーリエ変換して得られる像を示す平面図。
【図１７】本発明の他の態様に係る情報媒体を概略的に示す平面図。
【発明を実施するための形態】
【００４５】
以下、本発明の態様について、図面を参照しながら詳細に説明する。なお、同様又は類似した機能を発揮する構成要素には全ての図面を通じて同一の参照符号を付し、重複する説明は省略する。
【００４６】
図１は、本発明の一態様に係る情報媒体を概略的に示す平面図である。  
図１に示す情報媒体１００は、個人認証媒体であり、パスポートなどの冊子体である。図１には、開いた状態の冊子体を描いている。
【００４７】
この情報媒体１００は、折り丁１と表紙２とを含んでいる。  
折り丁１は、１枚以上の紙片１１からなる。典型的には、紙片１１上には、文字列及び地紋などの印刷パターン１２が設けられている。折り丁１は、１枚の紙片１１を又は複数枚の紙片１１の束を二つ折りにすることによって形成されている。紙片１１は、個人情報が記録されるＩＣ（integrated circuit）チップや、このＩＣチップとの非接触での通信を可能とするアンテナなどを内蔵していてもよい。
【００４８】
表紙２は、二つ折りされている。表紙２と折り丁１とは、冊子体を閉じた状態で折り丁１が表紙２によって挟まれるように重ね合わされており、それらの折り目の位置で綴じ合わせなどによって一体化されている。
【００４９】
表紙２は、個人情報を含んだ画像を表示する。この個人情報は、個人の認証に利用する個人認証情報を含んでいる。この個人情報は、例えば、生体情報と非生体個人情報とに分類することができる。
【００５０】
生体情報は、生体の特徴のうち、その個体に特有なものである。典型的には、生体情報は、光学的手法によって識別可能な特徴である。例えば、生体情報は、顔、指紋、静脈及び虹彩の少なくとも１つの画像又はパターンである。
【００５１】
非生体個人情報は、生体情報以外の個人情報である。例えば、非生体個人情報は、氏名、生年月日、年齢、血液型、性別、国籍、住所、本籍地、電話番号、所属及び身分の少なくとも１つである。非生体個人情報は、タイプ打ちによって入力された文字を含んでいてもよく、署名などの手書きを機械読み取りすることによって入力された文字を含んでいてもよく、それらの双方を含んでいてもよい。
【００５２】
図１において、表紙２は、画像Ｉ１ａ、Ｉ１ｂ、Ｉ２及びＩ３を表示している。  
画像Ｉ１ａ、Ｉ２及びＩ３は、光の吸収を利用して表示される画像である。具体的には、画像Ｉ１ａ、Ｉ２及びＩ３は、白色光で照明し、肉眼で観察した場合に視認可能な画像である。画像Ｉ１ａ、Ｉ２及びＩ３の１つ以上を省略してもよい。
【００５３】
画像Ｉ１ａ、Ｉ２及びＩ３は、例えば、染料及び顔料で構成することができる。この場合、画像Ｉ１ａ、Ｉ２及びＩ３の形成には、サーマルヘッドを用いた熱転写記録法、インクジェット記録法、電子写真法、又はそれらの２つ以上の組み合わせを利用することができる。或いは、画像Ｉ１ａ、Ｉ２及びＩ３は、感熱発色剤を含んだ層を形成し、この層にレーザビームで描画することにより形成することができる。或いは、これら方法の組み合わせを利用することができる。画像Ｉ２及びＩ３の少なくとも一部は、ホットスタンプを用いた熱転写記録法によって形成してもよく、印刷法によって形成してもよく、それらの組み合わせを利用して形成してもよい。
【００５４】
画像Ｉ１ｂは、後述するブランク媒体に記録された画像である。
【００５５】
画像Ｉ１ａ及びＩ１ｂは、同一人物の顔画像を含んでいる。画像Ｉ１ａが含んでいる顔画像と、画像Ｉ１ｂが含んでいる顔画像とは、同一であってもよく、異なっていてもよい。画像Ｉ１ａが含んでいる顔画像と、画像Ｉ１ｂが含んでいる顔画像とは、寸法が等しくてもよく、異なっていてもよい。また、画像Ｉ１ａ及びＩ１ｂの各々は、顔画像の代わりに他の生体情報を含んでいてもよく、顔画像に加えて顔画像以外の生体情報を更に含んでいてもよい。
【００５６】
画像１１ｂは、生体情報の代わりに非生体個人情報を含んでいてもよく、生体情報に加えて非生体個人情報を更に含んでいてもよい。また、画像１１ｂは、個人情報の代わりに非個人情報を含んでいてもよく、個人情報に加えて非個人情報を更に含んでいてもよい。
【００５７】
画像Ｉ２は、非生体個人情報と非個人情報とを含んでいる。画像Ｉ２は、例えば、文字、記号、符号及び標章の１つ以上を構成している。
【００５８】
画像Ｉ３は、地紋である。例えば、画像Ｉ３と画像１１ａ及び１１ｂの少なくとも一方とを組み合わせると、情報媒体１００の改竄をより困難にすることができる。
【００５９】
情報媒体１００のうち画像Ｉ１ｂに対応した部分は、以下に説明するブランク媒体を用いて製造する。  
図２は、図１に示す情報媒体の製造に使用可能なブランク媒体の一例を概略的に示す平面図である。図２に示すブランク媒体２００は、画像記録領域Ｒ１と、それ以外の領域Ｒ２とを含んでいる。領域Ｒ２は、省略してもよい。
【００６０】
図３は、図２に示すブランク媒体の画像記録領域の一部を拡大して示す平面図である。図３に示すように、ブランク媒体２００の画像記録領域Ｒ１は、複数の画素ＰＥを含んでいる。これら画素ＰＥは、互いに交差するＸ及びＹ方向に配列している。即ち、これら画素ＰＥは、Ｘ及びＹ方向に沿って互いに隣り合っている。図３には、一例として、これら画素ＰＥが、Ｘ及びＹ方向に沿って互いに隣接している場合を描いている。
【００６１】
なお、Ｘ及びＹ方向は、ブランク媒体２００の主面に対して平行な方向である。Ｘ方向とＹ方向とが為す角度は任意である。ここでは、一例として、Ｘ及びＹ方向は直交していることとする。
【００６２】
画素ＰＥは、典型的には、形状及び寸法が互いに等しい。画素ＰＥは小さな寸法を有しており、典型的には、肉眼で観察した場合にそれら画素ＰＥを互いから区別することはできない。例えば、画素ＰＥの各々のＸ方向についての寸法は、約５０μｍである。
【００６３】
図４は、図３に示す画像記録領域を構成している画素の１つを拡大して示す平面図である。図５は、図４に示す画素のＶ−Ｖ線に沿った断面図である。
【００６４】
図５に示すように、ブランク媒体２００を構成している画素ＰＥは、凹凸構造形成層２２３と反射層２２４と保護層２２７とを含んでいる。
【００６５】
凹凸構造形成層２２３は、一方の主面に、回折構造としての複数の溝が設けられた透明層である。透明層の材料としては、熱可塑性樹脂などの樹脂を使用することができる。
【００６６】
この凹凸構造形成層２２３は、特定の照明条件のもとで互いに異なる方向に回折光を射出する第１及び第２部分を含んでいる。図４及び図５には、一例として、これら第１及び第２部分の各々が規則的に配列した直線状の複数の溝からなり且つそれら溝の長さ方向が互いに異なっている場合を描いている。このような構成に起因した光学効果については、後で詳しく説明する。
【００６７】
凹凸構造形成層２２３の材料としては、例えば、ポリウレタン樹脂、ポリカーボネート樹脂、ポリスチレン樹脂及びポリ塩化ビニル樹脂などの熱可塑性樹脂、不飽和ポリエステル樹脂、メラミン樹脂、エポキシ樹脂、ウレタンアクリレート、ウレタンメタクリレート、ポリオールアクリレート、ポリオールメタクリレート、メラミンアクリレート、メラミンメタクリレート、トリアジンアクリレート及びトリアジンメタアクリレートなどの熱硬化性樹脂、これらの混合物、又はラジカル重合性不飽和基を有する熱成形性材料を使用することができる。凹凸構造形成層２２３は、光硬化性を有している樹脂を使用して形成してもよい。
【００６８】
反射層２２４は、凹凸構造形成層２２３上に形成されている。反射層２２４は、凹凸構造形成層２２３の複数の溝が設けられた面の少なくとも一部を被覆している。反射層２２４は省略することができるが、反射層２２４を設けると、複数の溝が表示する画像の視認性が向上する。
【００６９】
反射層２２４としては、透明反射層又は不透明な金属反射層を使用することができる。反射層２２４は、例えば、真空蒸着やスパッタリングなどの真空成膜法によって形成することができる。反射層２２４が樹脂を含んでいる場合、反射層２２４は、塗布又は印刷を利用して形成してもよい。
【００７０】
反射層２２４として透明反射層を使用すると、反射層２２４の背面側に絵柄及び文字等のパターンを配置した場合であっても、これを後述する画像表示体の前面側から視認することができる。他方、反射層２２４として不透明な金属反射層を使用すると、輝度が高く視認性に優れた画像の表示が可能となる。
【００７１】
透明反射層としては、例えば、凹凸構造形成層２２３とは屈折率が異なる透明材料からなる層を使用することができる。透明材料からなる透明反射層は、単層構造を有していてもよく、多層構造を有していてもよい。後者の場合、透明反射層は、繰り返し反射干渉を生じるように設計されていてもよい。この透明材料としては、例えば、硫化亜鉛及び二酸化チタンなどの透明誘電体を使用することができる。
【００７２】
或いは、透明反射層として、厚さが２０ｎｍ未満の金属層を使用してもよい。金属層の材料としては、例えば、クロム、ニッケル、アルミニウム、鉄、チタン、銀、金及び銅などの単体金属又はそれらの合金を使用することができる。
【００７３】
不透明な金属反射層としては、より厚いこと以外は透明反射層について上述したのと同様の金属層を使用することができる。不透明な金属反射層は、連続膜であってもよい。或いは、不透明な金属反射層は、パターニングされていてもよい。例えば、不透明な金属反射層の少なくとも一部をパターニングして、後述する画像表示体に、網点、万線、他の図形、又はそれらの組み合わせを表示させてもよい。このようなパターンは、例えば、情報媒体１００の真偽判定に利用することができる。
【００７４】
透明反射層又は不透明な反射層として、透明樹脂とこの中で分散した粒子とを含んだ層を使用してもよい。この粒子としては、例えば、単体金属及び合金などの金属材料からなる粒子、又は、透明金属酸化物及び透明樹脂などの透明誘電体からなる粒子を使用することができる。透明樹脂中には、粒子を分散させる代わりに、薄片を分散させてもよい。
【００７５】
保護層２２７は、凹凸構造形成層２２３を間に挟んで反射層２２４と向き合っている。保護層２２７は、光透過性を有しており、典型的には透明である。保護層２２７は、例えば樹脂からなる。この樹脂としては、例えば、アクリル樹脂、ウレタン樹脂又はエポキシ樹脂を使用することができる。保護層２２７は、省略することができる。
【００７６】
図４に示すように、画素ＰＥは、２つの第１サブ画素ＳＰＥ１と、１つの第２サブ画素ＳＰＥ２とを含んでいる。  
２つの第１サブ画素ＳＰＥ１は、Ｘ方向に隣り合っている。図４には、一例として、これら２つの第１サブ画素ＳＰＥ１が、Ｘ方向に互いに隣接している場合を描いている。Ｘ方向に隣接した画素ＰＥ間の境界は、凹凸構造形成層２２３について上述した第１及び第２部分の境界に対応している。
【００７７】
第１サブ画素ＳＰＥ１の各々には、規則的に配列した直線状の複数の第１溝Ｇ１が設けられている。これら複数の第１溝Ｇ１の空間周波数は、照明光を照射した際に、第１サブ画素ＳＰＥ１が所望の波長を有した回折光を射出するように設定されている。なお、複数の第１溝Ｇ１の空間周波数及び深さ又は高さは、典型的には、２つの第１サブ画素ＳＰＥ１間で互いに等しくする。
【００７８】
２つの第１サブ画素ＳＰＥ１は、複数の第１溝Ｇ１の長さ方向が互いに異なっている。それゆえ、拡散光照明などの特定の照明条件下において、これら第１サブ画素ＳＰＥ１が最大強度の回折光を射出する方向は、互いに異なっている。従って、例えば、各画素ＰＥ内で左側に位置した第１サブ画素ＳＰＥ１から高い強度の回折光を観察者の右眼に向けて射出させると共に、各画素ＰＥ内で右側に位置した第２サブ画素ＳＰＥ２から高い強度の回折光を観察者の左眼に向けて射出させることができる。即ち、これら第１サブ画素ＳＰＥ１は、例えば、立体画像の表示に用いることができる。
【００７９】
第２サブ画素ＳＰＥ２は、第１サブ画素ＳＰＥ１の各々とＹ方向に隣り合っている。図４には、一例として、第２サブ画素ＳＰＥ２が、第１サブ画素ＳＰＥ１の各々とＹ方向に隣接している場合を描いている。
【００８０】
第２サブ画素ＳＰＥ２には、規則的に配列した直線状の複数の第２溝Ｇ２が設けられている。複数の第２溝Ｇ２は、上記の複数の第１溝Ｇ１と長さ方向が互いに異なっている。これら複数の第２溝Ｇ２の空間周波数は、照明光を照射した際に、第２サブ画素ＳＰＥ２が所望の波長を有した回折光を射出するように設定されている。第２サブ画素ＳＰＥ２は、典型的には、平面画像の表示に用いられる。
【００８１】
第２サブ画素ＳＰＥ２は、２つの第１サブ画素ＳＰＥ１の各々と比較して、面積がより大きい。従って、後述するように、第２サブ画素ＳＰＥ２に基づいて表示される像は、第１サブ画素ＳＰＥ１に基づいて表示される像と比較してより明るい。
【００８２】
図２乃至図５を参照しながらブランク媒体２００を使用すると、例えば、以下に説明する画像表示体を製造することができる。  
図６は、図２に示すブランク媒体を用いて得られる画像表示体の一例を概略的に示す平面図である。この画像表示体３００は、図１に示す情報媒体１００における画像Ｉ１ｂの表示に用いられる。
【００８３】
図６に示す画像表示体３００は、背景絵柄領域としての第１表示領域ＲＩと、主要絵柄領域としての第２表示領域ＲＩＩとを含んでいる。図６に示す画像表示体３００では、第２表示領域ＲＩＩは、顔画像を表示している。また、第１表示領域ＲＩは、第２表示領域ＲＩＩが表示している顔画像の背景画像を表示している。
【００８４】
このような画像表示体３００は、例えば、以下のようにして製造する。  
まず、単一の撮像装置を用いて人物の顔を撮影して、顔画像を得る。或いは、印画から顔画像を読み取る。この顔画像は、必要に応じて画像処理する。
【００８５】
次に、ブランク媒体２００の一部に対し、レーザビームを照射することにより、表示領域ＲＩ及びＲＩＩを形成する。レーザビームの照射によるこれら表示領域ＲＩ及びＲＩＩの形成は、具体的には、以下のようにして行う。
【００８６】
第１に、ブランク媒体２００のうち第１表示領域ＲＩを形成すべき第１部分に含まれる画素ＰＥに対し、レーザビームを照射する。
【００８７】
より詳細には、まず、ブランク媒体２００の第１部分に含まれる複数の第２サブ画素ＳＰＥ２の全部に対し、レーザビームを照射する。これにより、これら第２サブ画素ＳＰＥ２の全部について、複数の第２溝Ｇ２を変形又は破壊する。即ち、これら第２サブ画素ＳＰＥ２の全部について、第２サブ画素ＳＰＥ２が射出する回折光の強度をゼロとするか又は低減する。
【００８８】
加えて、ブランク媒体２００の第１部分に含まれる複数の第１サブ画素ＳＰＥ１の一部に対し、レーザビームを照射する。これにより、これら第１サブ画素ＳＰＥ１の一部について、複数の第１溝Ｇ１を変形又は破壊する。即ち、これら第１サブ画素ＳＰＥ１の一部について、第１サブ画素ＳＰＥ１が射出する回折光の強度をゼロとするか又は低減する。
【００８９】
このようにして、第１部分に、第１表示領域ＲＩに表示させるべき第１画像を記録する。この第１画像は、例えば、顔画像の背景を構成する背景画像である。第１画像については、後で詳しく説明する。
【００９０】
第２に、ブランク媒体２００のうち第２表示領域ＲＩＩを形成すべき第２部分に含まれる画素ＰＥに対し、レーザビームを照射する。  
より詳細には、まず、ブランク媒体２００の第２部分に含まれる複数の第１サブ画素ＳＰＥ１の全部に対し、レーザビームを照射する。これにより、これら第１サブ画素ＳＰＥ１の全部について、複数の第１溝Ｇ１を変形又は破壊する。即ち、これら第１サブ画素ＳＰＥ１の全部について、第１サブ画素ＳＰＥ１が射出する回折光の強度をゼロとするか又は低減する。
【００９１】
加えて、ブランク媒体２００の第２部分に含まれる複数の第２サブ画素ＳＰＥ２の一部に対し、レーザビームを照射する。これにより、これら第２サブ画素ＳＰＥ２の一部について、複数の第２溝Ｇ２を変形又は破壊する。即ち、これら第２サブ画素ＳＰＥ２の一部について、第２サブ画素ＳＰＥ２が射出する回折光の強度をゼロとするか又は低減する。
【００９２】
このようにして、第２部分に、第２表示領域ＲＩＩに表示させるべき第２画像を記録する。この第２画像は、例えば、顔画像である。第２画像については、後で詳しく説明する。  
以上のようにして、表示領域ＲＩ及びＲＩＩを備えた画像表示体３００を得る。この画像表示体３００は、例えば、表紙２を構成している基材に、接着層を介して貼り付ける。或いは、ブランク媒体２００を表紙２を構成している基材に接着層を介して貼り付けておき、これに画像を記録することにより、画像表示体３００を形成してもよい。
【００９３】
画像表示体３００の第１表示領域ＲＩは、上述した通り、第１画像を表示する。  
図７は、図６に示す画像表示体の第１表示領域を構成している画素の１つを拡大して示す平面図である。図８は、図６に示す画像表示体の第１表示領域を構成している画素の他の１つを拡大して示す平面図である。
【００９４】
図７及び図８に示す画素ＰＥでは、第２サブ画素ＳＰＥ２に設けられた複数の第２溝Ｇ２の全体が変形又は破壊されている。他方、図７に示す画素ＰＥでは、第１サブ画素ＳＰＥ１に設けられた複数の第１溝Ｇ１は、変形又は破壊されていない。図８に示す画素ＰＥでは、第１サブ画素ＳＰＥ１に設けられた複数の第１溝Ｇ１の一部のみが変形又は破壊されている。
【００９５】
従って、第１表示領域ＲＩは、第１サブ画素ＳＰＥ１に基づいた画像を表示する。即ち、第１表示領域ＲＩでは、これら第１サブ画素ＳＰＥ１が上記の第１画像を表示する。
【００９６】
上述した通り、２つの第１サブ画素ＳＰＥ１は、複数の第１溝Ｇ１の長さ方向が互いに異なっている。それゆえ、拡散光照明などの特定の照明条件下において、これら第１サブ画素ＳＰＥ１が最大強度の回折光を射出する方向は、互いに異なっている。
【００９７】
従って、例えば、各画素ＰＥ内で左側に位置した第１サブ画素ＳＰＥ１から高い強度の回折光を観察者の右眼に向けて射出させると共に、各画素ＰＥ内で右側に位置した第２サブ画素ＳＰＥ２から高い強度の回折光を観察者の左眼に向けて射出させることができる。この場合、第１表示領域ＲＩに含まれる第１サブ画素ＳＰＥ１のうち複数の溝Ｇ１を変形又は破壊する部分を適宜定めることにより、これら第１サブ画素ＳＰＥ１の一部からなるサブ画素群と他の一部からなるサブ画素群とに、視差画像を表示させることができる。即ち、この場合、これら第１サブ画素ＳＰＥ１は、第１画像として立体画像を表示することができる。
【００９８】
画像表示体３００の第２表示領域ＲＩＩは、上述した通り、第２画像を表示する。  
図９は、図６に示す画像表示体の第２表示領域を構成している画素の１つを拡大して示す平面図である。図１０は、図６に示す画像表示体の第２表示領域を構成している画素の他の１つを拡大して示す平面図である。
【００９９】
図９及び図１０に示す画素ＰＥでは、第１サブ画素ＳＰＥ１に設けられた複数の第１溝Ｇ１の全体が変形又は破壊されている。他方、図９に示す画素ＰＥでは、第２サブ画素ＳＰＥ２に設けられた複数の第２溝Ｇ２は、変形又は破壊されていない。図１０に示す画素ＰＥでは、第２サブ画素ＳＰＥ２に設けられた複数の第２溝Ｇ２の一部のみが変形又は破壊されている。
【０１００】
従って、第２表示領域ＲＩＩは、第２サブ画素ＳＰＥ２に基づいた画像を表示する。即ち、第２表示領域ＲＩＩでは、これら第２サブ画素ＳＰＥ２が上記の第２画像を表示する。この第２画像は、典型的には、平面画像である。
【０１０１】
画像表示体３００は、第１画像と第２画像との組み合わせに基づいた画像を表示する。
【０１０２】
上述した通り、第２サブ画素ＳＰＥ２は、複数の第１サブ画素ＳＰＥ１の各々と比較して面積がより大きい。よって、第２画像は、第１画像と比較してより明るい。即ち、第２画像の画質は、比較的高い。それゆえ、例えば、第２画像として顔画像などの主要な画像を表示させると共に、第１画像として背景画像などの副次的な画像を表示させることにより、画像全体としての画質を向上させることができる。
【０１０３】
また、第１画像が立体画像であり且つ第２画像が平面画像である場合、第２画像は、あたかも立体画像であるかのように観察される。従って、例えば、第２画像として顔画像などの主要な画像を表示させると共に、第１画像として背景画像などの副次的な画像を表示させると、観察者に、顔画像などの主要な画像を擬似的な立体画像として観察させることができる。
【０１０４】
このような擬似的な立体画像は、複写等によっては再現できない。また、このような擬似的な立体画像を表示可能とする画像表示体３００の製造には、高度な技術が必要とされる。即ち、この画像表示体３００は、改竄することが困難である。
【０１０５】
また、この画像表示体３００では、平面画像に基づいて、擬似的な立体画像を表示可能としている。この平面画像は、複数枚の視差画像を用いて形成する必要がない。また、平面画像の表示に必要な画素の数は、一般的に、立体画像の表示に必要な画素の数と比較してより少ない。それゆえ、この画像表示体３００が表示する擬似的な立体画像は、通常の立体画像と比較してより明るい。即ち、この画像表示体３００は、明るい立体画像の表示を可能とする。
【０１０６】
なお、ブランク媒体２００において、複数の第２溝Ｇ２の長さ方向は、典型的には、複数の第１溝Ｇ１の長さ方向の平均と平行にする。こうすると、第１サブ画素ＳＰＥ１に基づいて表示される複数の像の明るさを一致させると共に、第２サブ画素ＳＰＥ２に基づいて表示される像の明るさを最大にすることができる。即ち、こうすると、第１及び第２画像の画質を向上させることができる。従って、こうすると、画像表示体３００に、高品位な画像を表示させることができる。
【０１０７】
また、ブランク媒体２００が備えた各画素ＰＥにおいて、第１サブ画素ＳＰＥ１の各々の面積と第２サブ画素ＳＰＥ２の面積との比を変化させると、第１画像と第２画像との明るさの比を変化させることができる。即ち、こうすると、第１及び第２画像のコントラストを変化させることができる。
【０１０８】
上述した通り、ブランク媒体２００が備えた複数の画素ＰＥは、互いに交差するＸ及びＹ方向に配列している。これら画素ＰＥが図４及び図５を参照しながら説明した構成を有している場合、ブランク媒体２００の画像記録領域Ｒ１は、複数の第１サブ画素ＳＰＥ１がＸ方向に沿って配列した第１の列と、複数の第２サブ画素ＳＰＥ２がＸ方向に沿って配列した第２の列とを備えている。そして、これら第１及び第２の列は、Ｙ方向に交互に配列したストライプパターンを形成している。
【０１０９】
このように、画像記録領域Ｒ１が交互に配列した第１及び第２の列を備えている場合、第１の列のＹ方向に沿った幅と第２の列のＹ方向に沿った幅との双方は、典型的には、観察者の目の分解能と比較してより小さくする。例えば、視力が１．０である人間が５０ｃｍ離れた位置から観察する場合には、これら幅の双方は、典型的には１４８μｍ以下とする。このような構成を採用すると、第１及び第２の列を、互いから肉眼で区別することが不可能となる。それゆえ、こうすると、画像表示体３００に、高品位な画像を表示させることが可能となる。
【０１１０】
図４及び図５に示す画素ＰＥには、種々の変形が可能である。  
図１１は、図４に示す画素の一変形例を示す平面図である。図１１に示す画素ＰＥは、画素ＰＥに含まれる第１サブ画素ＳＰＥ１の数及びその構造が異なっていることを除いては、図４に示す画素と同様の構成を有している。
【０１１１】
図１１に示す画素ＰＥは、３つ以上の第１サブ画素ＳＰＥ１を含んでいる。具体的には、図１１に示す画素ＰＥは、６つの第１サブ画素ＳＰＥ１を含んでいる。これら第１サブ画素ＳＰＥ１は、Ｘ方向に沿って互いに隣り合っている。図１１には、一例として、これら第１のサブ画素ＳＰＥ１が、Ｘ方向に沿って互いに隣接している場合を描いている。
【０１１２】
図１１に示す画素ＰＥでは、これら第１サブ画素ＳＰＥ１の各々に設けられた複数の第１溝Ｇ１の長さ方向は、互いに異なっている。図１１には、一例として、これら第１サブ画素ＳＰＥ１が、複数の第１溝Ｇ１の長さ方向とＸ方向とが為す角度がＸ方向に沿って単調に減少するようにして配列している場合を描いている。
【０１１３】
画素ＰＥが複数の第１溝Ｇ１の長さ方向が互いに異なった３つ以上の第１サブ画素ＳＰＥ１を含んでいる場合、画素ＰＥが２つの第１サブ画素ＳＰＥ１からなる場合と比較して、第１画像が視認可能となる観察範囲がより広くなる。
【０１１４】
図１２は、図４に示す画素の他の変形例を示す平面図である。図１２に示す画素ＰＥは、サブ画素ＳＰＥ１及びＳＰＥ２の配置が異なっていることを除いては、図４に示す画素と同様の構成を有している。
【０１１５】
図１２に示す画素ＰＥでは、２つの第１サブ画素ＳＰＥ１の各々は、画素ＰＥの対角位置に配置されている。そして、第２サブ画素ＳＰＥ２は２つに分割されて、画素ＰＥのうち第１サブ画素ＳＰＥ１が設けられていない部分を占めている。なお、２つに分割された第２サブ画素ＳＰＥ２の面積の和は、２つの第１サブ画素ＳＰＥ１の各々の面積と比較してより大きい。
【０１１６】
上述した通り、画素ＰＥは小さな寸法を有しており、典型的には、肉眼で観察した場合にそれら画素ＰＥを互いから区別することはできない。それゆえ、画素ＰＥに含まれるサブ画素ＳＰＥ１及びＳＰＥ２の各々も小さな寸法を有しており、典型的には、肉眼で観察した場合にこれらを互いから区別することはできない。従って、図１２に示す画素ＰＥは、典型的には、図４に示す画素ＰＥと同様の視覚効果を呈する。即ち、各画素ＰＥ内におけるサブ画素ＳＰＥ１及びＳＰＥ２の配置は、任意である。
【０１１７】
なお、第２サブ画素ＳＰＥ２は、複数の第２溝Ｇ２の長さ方向が互いに等しく且つ複数の第２溝Ｇ２の空間周波数、深さ又は高さ、及び断面形状の少なくとも１つが互いに異なった複数の領域を含んでいてもよい。この場合、第２サブ画素ＳＰＥ２の面積は、これら複数の領域の面積の総和に等しい。
【０１１８】
上では、サブ画素ＳＰＥ１及びＳＰＥ２の各々が規則的に配列した直線状の複数の溝を備えている場合について説明したが、サブ画素ＳＰＥ１及びＳＰＥ２の構成は、これには限られない。
【０１１９】
図１３は、第１及び／又は第２サブ画素に採用可能な構造の一例を示す平面図である。図１３には、曲線状の溝を概略的に描いている。直線状の溝の代わりに曲線状の溝を用いると、これら溝に起因した視覚効果を、より広い視域で観察することが可能となる。
【０１２０】
例えば、第２サブ画素ＳＰＥ２に曲線状の複数の第２溝Ｇ２を設けると、第２画像が視認可能となる観察角度をより広くすることが可能となる。即ち、こうすると、第１画像と第２画像とが同時に視認可能となる観察範囲をより広くすることが可能となる。
【０１２１】
なお、各サブ画素における曲線状の溝の「長さ方向」は、以下のようにして定める。即ち、まず、各サブ画素のうち曲線状の溝が設けられた部分の重心を考える。そして、この重心に最も近い位置における溝の接線の方向を、上記の「長さ方向」とする。
【０１２２】
また、図１３に示す構造を第１サブ画素ＳＰＥ１に適用する場合、例えば、図１３に示す構造をＹ方向に平行な１つ以上の直線によって分割してなる２つ以上の構造の各々を、各第１サブ画素ＳＰＥ１の構成として採用する。
【０１２３】
図１４は、第１及び／又は第２サブ画素に採用可能な構造の他の例を示す平面図である。図１４には、不規則的に配列した溝を概略的に描いている。これら溝は、溝間の間隔が不規則であるが、Ｘ方向に沿った構造を有している。それゆえ、これら溝は、照明光を照射すると、Ｘ方向に垂直な方向に、指向性を有した散乱光を射出することができる。
【０１２４】
図１５は、第１及び／又は第２サブ画素に採用可能な構造の他の例を示す平面図である。図１６は、図１５に示す構造をフーリエ変換して得られる像を示す平面図である。図１５及び図１６から分かるように、図１５に示す複数の溝は、照明光を照射すると、Ｘ方向に垂直な方向に、指向性を有した散乱光を射出することができる。
【０１２５】
このように、回折光を射出可能な溝の代わりに指向性を有した散乱光を射出可能な溝を用いると、より広い視域において、色変化がないか又は色変化が少ない像を表示させることが可能となる。また、こうすると、照明光の照射方向等の制約が少なくなり、画像の観察がより容易となる。
【０１２６】
なお、不規則的に配列した溝の「長さ方向」とは、均一な拡散照明光のもとで、それら溝が設けられているサブ画素から射出される散乱光のうち最も強度が大きいものの射出方向に垂直な平面とＸＹ平面との交線の方向であるとする。
【０１２７】
ブランク媒体２００では、複数の画素ＰＥの各々は、典型的には、互いに同一の構成を有している。しかしながら、複数の画素ＰＥの各々は、互いに異なった構成を有していてもよい。例えば、１つの第１サブ画素ＳＰＥ１に設けられた複数の第１溝Ｇ１の長さ方向と、他の１つの第１サブ画素ＳＰＥ１に設けられた複数の第１溝Ｇ１の長さ方向とが為す角度を、複数の画素ＰＥ間で互いに異ならせてもよい。
【０１２８】
或いは、複数の画素ＰＥの各々で、複数の第２溝Ｇ２の空間周波数を互いに異ならせてもよい。例えば、ブランク媒体２００は、各々が赤、緑及び青色光に対応した空間周波数で配列した複数の第２溝Ｇ２を備えた複数の画素ＰＥを含んでいてもよい。複数の画素ＰＥの各々で複数の第２溝Ｇ２の空間周波数を互いに異ならせると、第２サブ画素Ｇ２に基づいて、多色画像を表示させることが可能となる。即ち、第２画像として、多色画像を表示することが可能となる。
【０１２９】
なお、上では、複数の溝が射出する回折光の強度をゼロとするか又は低減する工程を、レーザビームを用いて複数の溝を変形又は破壊することにより行う方法について説明したが、この工程は、他の方法によって行ってもよい。例えば、レーザビームの照射により、反射層２２４又はその前面側の層で炭化を生じさせることにより、上記の回折光の強度をゼロとするか又は低減してもよい。即ち、複数の溝を変形又は破壊することなしに、上記の回折光の強度をゼロとするか又は低減してもよい。
【０１３０】
また、この工程は、レーザビーム以外のエネルギービームを用いて行ってもよい。例えば、この工程は、電子ビームなどの荷電粒子ビームを照射することによって行ってもよい。電子ビーム描画装置によると、レーザと比較して、より小さなビーム径を達成できる。従って、例えばサブ画素の寸法が小さい場合、電子ビーム照射を利用すると、レーザビームを利用した場合と比較して、より高い画質を達成できる。
【０１３１】
複数の溝が射出する回折光の強度をゼロとするか又は低減する工程は、他の方法によって行ってもよい。例えば、この工程は、サーマルヘッドなどの加熱及び／又は加圧手段を用いて溝を変形又は破壊することにより行ってもよい。或いは、この工程は、インクジェット法などを用いて、溝上に、凹凸構造形成層２２３の材料を溶解可能な液を供給することにより行ってもよい。或いは、この工程は、インクジェット法などを用いて、溝上に、凹凸構造形成層２２３の材料と屈折率が同一であるか屈折率の差が小さい材料を供給することにより行ってもよい。或いは、この工程は、インクジェット法などを用いて、溝上に、黒色インキなどの光吸収剤を供給することにより行ってもよい。
【０１３２】
なお、ブランク媒体２００が備えた複数の溝が指向性を有した散乱光を射出可能な構造を有している場合、画像表示体３００は、複数の溝が射出する回折光の強度をゼロとするか又は低減する代わりに、複数の溝が射出する散乱光の強度をゼロとするか又は低減することにより製造する。複数の溝が射出する散乱光の強度をゼロとするか又は低減する工程は、先に複数の溝が射出する回折光の強度をゼロとするか又は低減する工程について説明したのと同様にして行うことができる。
【０１３３】
以上、パスポートとしての情報媒体１００を例示したが、情報媒体１００について上述した技術は、他の情報媒体に適用することも可能である。例えば、この技術は、査証及びＩＤカードなどの各種カードに適用することも可能である。
【０１３４】
図１７は、本発明の他の態様に係る情報媒体を概略的に示す平面図である。図１６に示す情報媒体４００は、ＩＤカードであり、上で説明した画像表示体３００に基づいた画像Ｉ１ｂを含んでいる。よって、この情報媒体４００は、改竄が困難である。
【０１３５】
画像表示体３００を貼り付ける基材の材質は、天然の紙及び合成紙などの紙でなくてもよい。例えば、画像表示体３００を貼り付ける基材の材質は、ポリエチレンテレフタレート樹脂（熱可塑性ＰＥＴ）、ポリ塩化ビニル樹脂、熱硬化性ポリエステル樹脂、ポリカーボネート樹脂、ポリメタクリル樹脂及びポリスチレン樹脂などの合成樹脂、ガラス、陶器及び磁器などのセラミックス、又は、単体金属及び合金などの金属材料であってもよい。
【０１３６】
上では、情報媒体としてパスポート及びＩＤカードなどの個人認証媒体を例示したが、情報媒体１００及び４００について上述した技術は、個人認証媒体以外の情報媒体に適用することも可能である。即ち、上述した技術は、個人認証以外の目的で利用してもよい。
【符号の説明】
【０１３７】
１…折り丁、２…表紙、１１…紙片、１２…印刷パターン、１００…情報媒体、２００…ブランク媒体、２２３…凹凸構造形成層、２２４…反射層、２２７…保護層、３００…画像表示体、４００…情報媒体、Ｇ１…溝、Ｇ２…溝、Ｉ１ａ…画像、Ｉ１ｂ…画像、Ｉ２…画像、Ｉ３…画像、ＰＥ…画素、Ｒ１…領域、Ｒ２…領域、ＲＩ…第１表示領域、ＲＩＩ…第２表示領域、ＳＰＥ１…第１サブ画素、ＳＰＥ２…第２サブ画素。
【図１】
2011133677.tif 000003
【図２】
2011133677.tif 000004
【図３】
2011133677.tif 000005
【図４】
2011133677.tif 000006
【図５】
2011133677.tif 000007
【図６】
2011133677.tif 000008
【図７】
2011133677.tif 000009
【図８】
2011133677.tif 000010
【図９】
2011133677.tif 000011
【図１０】
2011133677.tif 000012
【図１１】
2011133677.tif 000013
【図１２】
2011133677.tif 000014
【図１３】
2011133677.tif 000015
【図１４】
2011133677.tif 000016
【図１５】
2011133677.tif 000017
【図１６】
2011133677.tif 000018
【図１７】
2011133677.tif 000019